(57)【特許請求の範囲】
【請求項１】
非光透過性材料からなる壁面部または天井部の一部に、光源からの光を浴室内に導くための開口が設けられ、この開口は、光透過性材料からなる遮蔽材により遮蔽されており、前記遮蔽材は、前記開口およびその周辺の浴室内面が略平面となるように構成されており、前記浴室内面には光透過性材料からなるコーティング層が設けられており、
前記遮蔽材と前記コーティング層との間には、前記開口に対応して、前記光源からの光を一部遮断して所定の表示を行うための遮光フィルムと、透明なタッチセンサーフィルムとが挟まれて設けられていることを特徴とする浴室。
【請求項２】
前記遮蔽材は、前記開口およびその周辺の浴室内側に固着されたシート状のもので、単独で前記浴室内面を略平面に構成している請求項１記載の浴室。
【請求項３】
前記遮蔽材は、前記開口に対応した形状の凸部を有し、この凸部を前記開口に浴室外側から嵌め込んで固定したとき前記凸部の先端面が前記開口の周辺の前記浴室内面と略面一となるように構成されている請求項１記載の浴室。
【請求項４】
前記光源は、前記開口の浴室外側に設置されている請求項１ないし請求項３のいずれか一項に記載の浴室。
【発明の詳細な説明】
【技術分野】
【０００１】
本発明は、浴室に関し、特に、浴室内の照明や表示などの機能を発揮するものに係わる。
【背景技術】
【０００２】
一般に、浴室の壁面部、天井部および床面部は、いずれも鋼板やタイルなど光を通さない非光透過性材料によって構成されている。そして、浴室内の照明のために、天井部および壁面部に照明装置が設けられている（例えば特許文献１参照）。また、浴室の壁面部には、浴室の給湯システムなどの操作パネルが取り付けられている。
【先行技術文献】
【特許文献】
【０００３】
【特許文献１】特開２００３−３２５３７１号公報
【発明の概要】
【発明が解決しようとする課題】
【０００４】
ところで、前記従来の照明装置および操作パネルは、一見すればそれらの設置箇所が判るという利点があるが、それらの設置により浴室内の空間を狭めたり、意匠を損ねたりする虞がある。
【０００５】
本発明はかかる点に鑑みてなされたものであり、その課題は、浴室内の照明や表示などの機能を発揮するに当たり、浴室内の空間を狭めたり、意匠を損ねたりすることなく、実施化を有効に図り得る浴室を提供することにある。
【課題を解決するための手段】
【０００６】
前記の課題を解決するため、本発明は、浴室として、非光透過性材料からなる壁面部または天井部の一部に、光源からの光を浴室内に導くための開口を設け、この開口を、光透過性材料からなる遮蔽材により遮蔽する。また、前記遮蔽材を、前記開口およびその周辺の浴室内面が略平面となるように構成し、前記浴室内面に、光透過性材料からなるコーティング層を設ける。さらに、前記遮蔽材と前記コーティング層との間に、前記開口に対応して、前記光源からの光を一部遮断して所定の表示を行うための遮光フィルムと、透明なタッチセンサーフィルムとが挟まれて設けられる構成にする。
【発明の効果】
【０００７】
本発明の浴室によれば、光源の非発光時には、開口およびその周辺の浴室内面は、遮蔽材により略平面に構成されかつコーティング層で覆われているため、光源および開口の存在は判らない。光源の発光時には、光源からの光が共に光透過性材料からなる遮蔽材およびコーティング層を通して浴室内に照射されるため、浴室内の照明や表示などの機能を発揮することができる。また、これらの機能を発揮するために、浴室内の空間を狭めたり、意匠を損ねたりすることはないので、実施化を有効に図ることができる。
【図面の簡単な説明】
【０００８】
【図１】図１は本発明の第１の実施形態に係る浴室の全体構成を示す斜視図である。
【図２】図２は図１のＸ−Ｘ線における拡大断面図である。
【図３】図３は本発明の第２の実施形態を示す図１相当図である。
【図４】図４Ａは図３のＹ−Ｙ線における拡大断面図、図４Ｂは図４ＡのＤ付近の拡大図である。
【図５】図５は遮光フィルムの表面図である。
【図６】図６Ａは図３のＺ付近の拡大図であって、光源の非発光時の状態を示す。図６Ｂは同じく図３のＺ付近の拡大図であって、光源の発光時の状態を示す。
【図７】図７Ａは本発明の別の形態に係る浴室の壁面部で鏡を取り付けた付近の正面図であって、光源の非発光時の状態を示す。図７Ｂは同じく鏡を取り付けた付近の拡大図であって、光源の発光時の状態を示す。
【発明を実施するための形態】
【０００９】
以下、本発明を実施するための形態である実施形態を図面に基づいて説明する。
【００１０】
図１は本発明の第１の実施形態に係る浴室１の全体構成を示す。浴室１は、床面部２と、４つの壁面部３，４，５（手前側の壁面部は図示せず）と、天井部６とによって構成されている。
【００１１】
床面部２は、図で奥側に浴槽７を配置し、手前側に洗い場８を構成している。図面に向かって右側の壁面部３には、床面部２の洗い場８に対応して、鏡１１と、水栓１２と、カウンター１３とが設けられている。尚、図示していないが、手前側の壁面部または図面に向かって左側の壁面部５には、浴室１内に出入りするためのドアが設けられている。
【００１２】
天井部６の壁面部３に近い側には照明装置１５が設けられている。照明装置１５は、ＬＥＤ素子などからなる光源（図示せず）と、光源を覆って天井面を構成する半透明な照明用カバー１６とを備えている。照明用カバー１６は、半透明であり、形状なども天井部６の照明装置１５設置箇所以外の箇所と異なることから、照明装置１５の設置箇所は、一見すれば判るようになっている。
【００１３】
壁面部３〜５のドア設置箇所以外の箇所および天井部６の照明装置１５設置箇所以外の箇所は、鋼板やアルミニウム板のような金属やタイルなど光を通さない非光透過性材料によって構成されている。そして、非光透過性部材からなる壁面部３〜５または天井部６の一部には、その設置箇所が一見しても判らない発光装置２１が設けられている。本実施形態の場合、発光装置２１は、具体的には、奥側の壁面部４に２台設けられており、１台の発光装置２１は、水平方向に長く延びた状態に設置され、残り１台の発光装置２１は、上下方向に長く延びた状態で設置されている。尚、２台の発光装置２１は、構造的には全く同じであるため、以下の説明では、水平方向に長く延びた発光装置２１を例に説明する。
【００１４】
すなわち、発光装置２１は、図２に示すように、奥側の壁面部４に設けられた開口２２を有している。開口２２は、後述する光源２８からの光を浴室１内に導くためのもので、水平方向に長く延びた細長い矩形状に形成されている。また、開口２２は、透明または半透明なガラスや合成樹脂（例えばＰＭＭＡ）などの光透過性材料からなる遮蔽材２３により遮蔽されている。遮蔽材２３は、開口２２およびその周辺の浴室１内面が略平面となるように構成されており、開口２２およびその周辺の浴室１内面には光透過性材料からなる薄膜状のコーティング層２４が設けられている。
【００１５】
遮蔽材２３は、開口２２およびその周辺の浴室１内側に、例えば奥側の壁面部４の内面全体に固着されたシート状のもので、単独で浴室１内面を略平面に構成している。コーティング層２４は、インクジェット印刷によって施されるインク層などであり、遮蔽材２３の表面を加飾するものでも良い。また、コーティング層２４は、シート状またはフィルム状に形成し、接着剤を介して遮蔽材２３の表面に固着しても良い。
【００１６】
また、発光装置２１は、開口２２の浴室１外側で壁面部４にねじ止めにより取り付けられたケース２６と、ケース２６内に開口２２と対向して配置された基板２７と、基板２７の開口２２と面する表面上に実装された光源としてのＬＥＤ素子２８とを有している。ケース２６および基板２７は、開口２２に対応して水平方向に長く形成されている。ＬＥＤ素子２８は、図示していないが、基板２７の表面上に水平方向に所定間隔毎に複数設けられている。
【００１７】
以上説明したように、浴室１（詳しくは発光装置２１）の構成として、非光透過性材料からなる壁面部３〜５または天井面の一部に、光源（ＬＥＤ素子）２８からの光を浴室１内に導くための開口２２が設けられている。開口２２は、光透過性材料からなる遮蔽材２３により遮蔽されており、遮蔽材２３は、開口２２およびその周辺の浴室１内面が略平面となるように構成されている。浴室１内面には光透過性材料からなるコーティング層２４が設けられている。
【００１８】
このような構成では、光源２８の非発光時には、開口２２およびその周辺の浴室１内面は、遮蔽材２３により略平面に構成されかつコーティング層２４で覆われているため、光源２８および開口２２の存在は判らない。光源２８の発光時には、光源２８からの光が共に光透過性材料からなる遮蔽材２３およびコーティング層２４を通して浴室１内に照射されるため、浴室１内の照明や演出照明としての機能を発揮することができる。また、これらの機能を発揮するために、浴室１内の空間を狭めたり、意匠を損ねたりすることはないので、実施化を有効に図ることができる。
【００１９】
特に、本実施形態の場合、遮蔽材２３は、開口２２およびその周辺の浴室１内側に固着されたシート状のもので、単独で浴室１内面を略平面に構成している。このため、浴室１の施工前に予め遮蔽材２３の表面にコーティング層２４を設けることで施工現場での作業工程数を少なくすることができるなどの効果を奏する。
【００２０】
また、光源２８は、開口２２の浴室１外側に設置されているため、光源として太陽光を用いる場合に比べて浴室１の設置箇所に制約を受けることが少なく、汎用性に優れた効果を奏する。
【００２１】
図３は本発明の第２の実施形態に係る浴室１の全体構成を示す。浴室１の基本的な構成は、第１の実施形態の場合と同じであり、同一部材には同一符号を付してその説明は省略する。第２の実施形態において、第１の実施形態の場合と異なる点は、浴室１の奥側の壁面部４に設けられる発光装置４１の構成である。
【００２２】
すなわち、発光装置４１は、図４Ａに示すように、奥側の壁面部４に設けられた開口４２を有している。開口４２は、後述する光源４８からの光を浴室１内に導くためのもので、上下方向を長辺側とする矩形状に形成されている。また、開口４２は、透明または半透明なガラスや合成樹脂（例えばＰＭＭＡ）などの光透過性材料からなる遮蔽材４３により遮蔽されている。遮蔽材４３は、開口４２およびその周辺の浴室１内面が略平面となるように構成されており、開口４２およびその周辺の浴室１内面には光透過性材料からなる薄膜状のコーティング層４４が設けられている。
【００２３】
遮蔽材４３は、射出成形またはプレス成形からなるもので、開口４２よりも一回り大きい矩形状のベース部４３ａと、ベース部４３ａと一体成形された、開口４２に対応した矩形状の凸部４３ｂとを有している。そして、凸部４３ｂを開口４２に浴室１外側から嵌め込んで遮蔽材４３を固定したとき凸部４３ｂの先端面が開口４２の周辺の浴室１内面（つまり壁面部４の内面）と略面一となるように構成されている。
【００２４】
コーティング層４４は、インクジェット印刷によって施されるインク層などであり、開口４２の周辺の浴室１内面および遮蔽材４３の凸部４３ｂの先端面を加飾するものでも良い。また、コーティング層４４は、シート状またはフィルム状に形成し、接着剤からなる中間膜４５（図４Ｂ参照）を介して開口４２の周辺の浴室１内面に固着しても良い。
【００２５】
また、発光装置４１は、開口４２の浴室１外側で壁面部４にねじ止めにより取り付けられたケース４６と、ケース４６内に遮蔽材４３と対向して配置された基板４７と、基板４７の遮蔽材４３と面する表面上に実装された光源としてのＬＥＤ素子４８とを有している。ケース４６は、遮蔽材４３のベース部４３ａの外周を囲繞する形状に形成されており、また、ケース４６を壁面部４に取り付けたときには遮蔽材４３がケース４６を介して壁面部４に固定されるようになっている。基板４７は、遮蔽材４３のベース部４３ａと略同一の大きさの矩形状に形成されている。ＬＥＤ素子４８は、基板４７の表面上に縦方向および横方向にそれぞれ所定間隔毎に複数設けられている。
【００２６】
さらに、遮蔽材４３（詳しくはその凸部４３ｂの先端面）とコーティング層４４との間には、図４Ｂに示すように、開口４２に対応して、矩形状の遮光フィルム５１と、同じく矩形状でかつ透明なタッチセンサーフィルム５２とが挟まれて設けられている。
【００２７】
遮光フィルム５１は、ＬＥＤ素子４８からの光を一部遮断して所定の表示を行うためのものである。本実施形態の場合、遮光フィルム５１は、図５に斜線で示す箇所に、例えば黒色のインクジェット印刷を施すことで、矩形状の枠５３とその枠５３内に位置する上下２つの円５４，５５とを表示するようになっている（図６Ｂ参照）。
【００２８】
タッチセンサーフィルム５２は、静電容量方式のもので、例えば２枚のＰＥＴフィルムからなる基材それぞれに１層ずつＸ、Ｙのセンサーパターンを形成し、この基材同士を貼り合わせてなる透明なフィルムである。タッチセンサーフィルム５２の検出信号は、図示していないが、浴室給湯システムの制御部に入力される。
【００２９】
以上説明した第２の実施形態においては、第１の実施形態の場合と同様な作用効果を奏することができる上、次のような効果をも奏することができる。
【００３０】
すなわち、遮蔽材４３は、開口４２に対応した形状の凸部４３ｂを有し、凸部４３ｂを開口４２に浴室１外側から嵌め込んで固定したとき凸部４３ｂの先端面が開口４２の周辺の浴室１内面と略面一となるように構成されている。このため、遮蔽材４３の大きさを限定的なものにすることができるので、コスト面や部品管理などで実施化を容易に図ることができる。
【００３１】
また、遮蔽材４３とコーティング層４４との間には、開口４２に対応して、光源（ＬＥＤ素子）４８からの光を一部遮断して所定の表示を行うための遮光フィルム５１と、透明なタッチセンサーフィルム５２とが挟まれて設けられている。この構成では、光源４８の非発光時には、第１の実施形態の場合と同様に、光源４８および開口４２の存在は判らない（図６Ａ参照）。一方、光源４８の発光時には、光源４８からの光が遮光フィルム５１によって一部遮断され、図６Ｂに示すように、矩形状の枠５３とその枠５３内に位置する上下２つの円５４，５５とが発光表示される。そして、この発光表示に基づいて人がコーティング層４４の表面側からタッチセンサーフィルム５２の所定箇所（上下２つの円５４，５５のいずれか一方の円に対応した箇所）を押すと、その検出信号が浴室給湯システムの制御部に入力される。このように、本実施形態では、発光表示の機能と、操作スイッチないし操作パネルとしての機能をも発揮することができる。
【００３２】
尚、本発明は前記第１および第２の実施形態に限定されるものではなく、その他種々の形態を包含するものである。例えば第１の実施形態では、奥側の壁面部４に発光装置２１を２台設けたが、本発明は、非光透過性部材からなるその他の壁面部３，５または天井部６に、同様な構成の発光装置を設けても良い。例えば図７Ａおよび図７Ｂに示すように、鏡１１が取り付けられた壁面部３の鏡１１を挟む左右両側に、それぞれ第１の実施形態の場合と同様な構成の発光装置２１を上下方向に延びた状態に設けても良い。この場合、光源の非発光時には、図７Ａに示すように、発光装置２１の存在は判らないが、光源の発光時には、図７Ｂに示すように、各発光装置２１が発光することで鏡１１前方の照明を行うことができる。
【００３３】
また、前記各実施形態では、いずれも非光透光性材料からなる壁面部３〜５または天井部６の一部に、光源２８，４８からの光を浴室１内に導くための開口２２，４２を設けるに当たり、開口２２，４２を矩形状または一方向に細長い矩形状に形成した。しかし、本発明は、これに限らず、例えば演出照明や模様浮き上がりの効果を高めるために、開口を円形や星形、十字形などの形状に形成しても良い。
【００３４】
さらに、前記各実施形態では、いずれも光源２８，４８を、ＬＥＤ素子で構成したが、本発明は、これに限らず、ＬＥＤ素子以外の発光素子を用いて構成したり、太陽光を直接または集光器や光ファイバー等を介して使用できるように構成したりしても良い。
【符号の説明】
【００３５】
１    浴室
３，４，５    壁面部
６    天井部
２１，４１    発光装置
２２，４２    開口
２３，４３    遮蔽材
２４，４４    コーティング層
２８，４８    ＬＥＤ素子（光源）
４３ｂ  凸部
５１    遮光フィルム
５２    タッチセンサーフィルム
【図１】
0006516180.tif 000002
【図２】
0006516180.tif 000003
【図３】
0006516180.tif 000004
【図４】
0006516180.tif 000005
【図５】
0006516180.tif 000006
【図６】
0006516180.tif 000007
【図７】
0006516180.tif 000008